(57)【特許請求の範囲】
【請求項１】
バルブカバーに設けられた吐出穴から吐出される冷媒が衝突する範囲にある吐出穴上部に位置するモータ固定子のスロット断面積が、前記吐出穴上部以外の位置にあるスロット断面積より小さく構成されているモータ固定子を有する密閉型圧縮機。
【請求項２】
塩素を含まないＨＣＦＣやＨＦＣ等を冷媒とした請求項１記載の密閉型圧縮機。
【請求項３】
二酸化炭素やアンモニア等の自然冷媒を冷媒とした請求項１記載の密閉型圧縮機。
【請求項４】
バルブカバーに設けられた吐出穴から吐出される冷媒が衝突する範囲にある吐出穴上部に位置するモータ固定子のスロットにおける巻線の占める断面積割合をａとし、前記吐出穴上部以外の位置にあるスロットにおける巻線の占める断面積割合をｂとしたときにａ＞ｂの関係であり、スロット断面積は同じであるモータ固定子を有する密閉型圧縮機。
【請求項５】
塩素を含まないＨＣＦＣやＨＦＣ等を冷媒とした請求項４記載の密閉型圧縮機。
【請求項６】
二酸化炭素やアンモニア等の自然冷媒を冷媒とした請求項４記載の密閉型圧縮機。
【発明の詳細な説明】
【技術分野】
【０００１】
本発明は、空気調和器や冷蔵庫等の冷凍機器に用いられる密閉型圧縮機に関するものである。
【背景技術】
【０００２】
従来から密閉型圧縮機について、内蔵されているモータ固定子のスロット部には巻線との絶縁性を保持する為に絶縁紙が挿入されている。
【０００３】
図４は、従来のモータ固定子のスロット部を表しており、モータ固定子１０１にあるスロット１０２には巻線１０３との絶縁性を保持する為に絶縁紙１０４が挿入されている。
【先行技術文献】
【特許文献】
【０００４】
【特許文献１】特開２００３−３２４８８０号公報
【発明の概要】
【発明が解決しようとする課題】
【０００５】
しかしながら圧縮機運転時において過度な液戻り運転が行われた場合、圧縮機のバルブカバーにある吐出穴から液冷媒が、バルブカバー上部にあるモータ固定子のスロットに向かい勢いよく噴出され、その衝撃力で絶縁紙がスロット内を動き故障原因となる課題があった。
【０００６】
本発明は、前記従来の課題を解決するもので、バルブカバーに設けられた吐出穴から吐出される冷媒が衝突する範囲にある吐出穴上部にあるスロット部分の絶縁紙の動きを抑制し、故障原因とならない密閉型圧縮機を提供することを目的とする。
【課題を解決するための手段】
【０００７】
前記従来の課題を解決するため本発明の密閉型圧縮機は、バルブカバーに設けられた吐出穴から吐出される冷媒が衝突する範囲にある吐出穴上部に存在するスロット内における巻線の占める断面積割合を、吐出穴上部に存在しないスロット内における断面積割合より小さくさせたものである。
【０００８】
これによって吐出穴上部にあるスロットは、仮に過度な液戻りが生じ、液冷媒がスロットに向って噴出された場合でも、スロット内の巻線の断面積割合が大きくすることで、絶縁紙がスロット内を動くことを抑制でき、故障を発生させないようにできる。
【発明の効果】
【０００９】
本発明の密閉型圧縮機は絶縁性を損なわず、高信頼性を確保できる効果をもたらすことができる。
【図面の簡単な説明】
【００１０】
【図１】本発明実施の形態１における密閉型圧縮機を示す断面図
【図２】本発明実施の形態１におけるバルブカバーに設けられた吐出穴から吐出される冷媒が衝突する範囲にある吐出穴とスロットの位置関係を示す図
【図３】図２におけるＡ部拡大図
【図４】本発明の実施の形態２におけるスロット部の巻線の占める断面積割合を示す図
【図５】従来の密閉型圧縮機におけるスロット部の概略図
【図６】図５におけるＢ部拡大図
【発明を実施するための形態】
【００１１】
第１の発明はバルブカバーに設けられた吐出穴から吐出される冷媒が衝突する範囲にある吐出穴上部に位置するモータ固定子のスロット断面積が、吐出穴上部以外の位置にあるスロット断面積より小さく構成されている。
【００１２】
バルブカバーに設けられた吐出穴から吐出される冷媒が衝突する範囲にある吐出穴上部に位置するスロットは、断面積を小さくすることにより巻線の占める断面積をスロット断面積で除した数値（以下スペースファクタと呼ぶ）が大きくなる。このスペースファクタを大きくすることで、液圧縮の衝撃により液冷媒が直接スロットに向けて噴出されても、絶縁紙の動きを抑制することができ信頼性を高める効果がある。
【００１３】
第２の発明はバルブカバーに設けられた吐出穴から吐出される冷媒が衝突する範囲にある吐出穴上部に位置するモータ固定子のスロットにおける巻線の占める断面積を吐出穴上部以外の位置にあるスロットにおける巻線の占める断面積より大きくする。これは言い換えるとスロット断面積は固定したまま、スペースファクタを大きくするものであり、第１の発明と同様の効果を得ることができる。なお、この実施の形態によって本発明が限定されるものではない。
【００１４】
（実施の形態１）
図１は、本発明の実施の形態１におけるバルブカバーとモータ固定子との位置関係を示すものである。
【００１５】
図１において上軸受１２、シリンダ１３、ピストン１４、下軸受１５、ベーン（図示せず）で囲まれる圧縮室１７に入った冷媒は、シャフト１６に勘合されたモータのロータ１１が回転することで、シャフト１６外周部に嵌められたピストン１４の外周部がシリンダ１３の内周部に沿うかたちで回転することにより圧縮される。圧縮された冷媒は吐出ポート（図示せず）より吐出され、一旦、バルブカバー５の中に冷媒が導かれた後、吐出穴６からモータ固定子１の方向に噴出される。
【００１６】
図２は、図１にあるバルブカバー５および吐出穴６とモータ固定子１にあるスロット２の位置関係を圧縮機上部からみたものであり、吐出穴６とスロット２が重なる位置についてはスロット２より断面積の小さい小スロット７で構成されている。
【００１７】
密閉型圧縮機が寝込み起動や再起動を行うような場合、過渡的に液冷媒が圧縮され吐出穴６から鉛直方向に噴出され、小スロット７に衝突する。このとき小スロット７はスロット２に対して断面積が小さく、スペースファクタを大きくとっているため液圧縮の衝撃に対しても絶縁紙４の動きを抑制することができ信頼性を高めることが可能となる。
【００１８】
（実施の形態２）
図３は、本発明の実施の形態２におけるスロット部の巻線３の占める断面積割合を示しており、吐出穴６とスロット２が重なる位置についての巻線３の占める断面積割合ａは、吐出穴６とスロット２が重なっていない位置についての巻線の占める断面積割合ｂより大きくしている。スペースファクタａ＞ｂとなり液圧縮の衝撃に対しても絶縁紙４の動きを抑制することができ信頼性を高めることが可能となる。
【産業上の利用可能性】
【００１９】
以上のように、本発明にかかる密閉型圧縮機は、絶縁紙の動きを抑制し信頼性を高めることが可能となるので空気調和器や冷蔵庫等の冷凍機器に用いられる密閉型圧縮機の用途に適用できる。
【符号の説明】
【００２０】
１  モータ固定子
２  スロット
３  巻線
４  絶縁紙
５  バルブカバー
６  吐出穴
７  小スロット
１１  ロータ
１２  上軸受
１３  シリンダ
１４  ピストン
１５  下軸受
１６  シャフト
１７  圧縮室
１０１  モータ固定子
１０２  スロット
１０３  巻線
１０４  絶縁紙
【図１】
0005533373.tif 000002
【図２】
0005533373.tif 000003
【図３】
0005533373.tif 000004
【図４】
0005533373.tif 000005
【図５】
0005533373.tif 000006
【図６】
0005533373.tif 000007